(57)【要約】【課題】多様なレイアウトを選択でき、選択したレイアウトで描画可能かつ選択したレイアウトと別個に描画可能に被写体画像を記録できるディジタルカメラを提供する。【解決手段】ディジタル画像の描画時のレイアウトを入力するレイアウト入力手段と、入力されたレイアウトが格納される内部メモリと、前記内部メモリに格納されたレイアウトの選択を受け付ける選択受付手段（Ｓ４００）と、前記変換手段に出力させたディジタル画像を、前記選択受付手段によって選択されたレイアウトに関連付けてリムーバブルメモリに出力する被写体画像出力手段（Ｓ４１０，Ｓ４２０）と、前記内部メモリに格納されたレイアウトを、前記被写体画像出力手段によってディジタル画像が格納されるリムーバブルメモリに出力するレイアウト出力手段（Ｓ４４０）と、を備えることを特徴とする。【選択図】  図１
2004229202.tif 000002
【特許請求の範囲】
【請求項１】
被写体の光学像を結像させる光学系と、
結像された被写体の光学像をディジタル画像に変換する変換手段と、
前記変換手段が出力するディジタル画像の描画時のレイアウトを入力するレイアウト入力手段と、
入力されたレイアウトが格納される内部メモリと、
前記内部メモリに格納されたレイアウトの選択を受け付ける選択受付手段と、前記変換手段に出力させたディジタル画像を、前記選択受付手段によって選択されたレイアウトに関連付けてリムーバブルメモリに出力する被写体画像出力手段と、
前記内部メモリに格納されたレイアウトを、前記被写体画像出力手段によってディジタル画像が格納されるリムーバブルメモリに出力するレイアウト出力手段と、を備えることを特徴とするディジタルカメラ。
【請求項２】
前記レイアウト出力手段は、前記選択受付手段によって選択されたレイアウトを、リムーバブルメモリに出力されるディジタル画像を前記変換手段に出力させた後にリムーバブルメモリに出力することを特徴とする請求項１に記載のディジタルカメラ。
【請求項３】
前記レイアウト出力手段は、前記選択受付手段によって選択されたレイアウトを、リムーバブルメモリに出力するディジタル画像を前記変換手段に出力させる前にリムーバブルメモリに出力することを特徴とする請求項１に記載のディジタルカメラ。
【請求項４】
前記レイアウト出力手段は、前記内部メモリに格納されたレイアウトを、リムーバブルメモリが交換される度にリムーバブルメモリに出力することを特徴とする請求項１に記載のディジタルカメラ。
【請求項５】
前記レイアウト出力手段は、前記内部メモリに格納されたレイアウトのうちリムーバブルメモリに格納されていないレイアウトのみを当該リムーバブルメモリに出力することを特徴とする請求項１〜４のいずれか一項に記載のディジタルカメラ。
【請求項６】
被写体の光学像を結像させる光学系と、
結像された被写体の光学像をディジタル画像に変換する変換手段と、
前記変換手段が出力するディジタル画像に合成される既定画像を入力する入力手段と、
入力された既定画像が格納される内部メモリと、
前記内部メモリに格納された既定画像の選択を受け付ける選択受付手段と、
前記変換手段に出力させたディジタル画像を、前記選択受付手段によって選択された既定画像に関連付けてリムーバブルメモリに出力する被写体画像出力手段と、
前記内部メモリに格納された既定画像を、前記被写体画像出力手段によってディジタル画像が格納されるリムーバブルメモリに出力する既定画像出力手段と、を備えることを特徴とするディジタルカメラ。
【請求項７】
前記既定画像出力手段は、前記選択受付手段によって選択された既定画像を、リムーバブルメモリに出力されるディジタル画像を前記変換手段に出力させた後にリムーバブルメモリに出力することを特徴とする請求項６に記載のディジタルカメラ。
【請求項８】
前記既定画像出力手段は、前記選択受付手段によって選択された既定画像を、リムーバブルメモリに出力されるディジタル画像を前記変換手段に出力させる前にリムーバブルメモリに出力することを特徴とする請求項６に記載のディジタルカメラ。
【請求項９】
前記既定画像出力手段は、前記内部メモリに格納された既定画像を、リムーバブルメモリが交換される度にリムーバブルメモリに出力することを特徴とする請求項６に記載のディジタルカメラ。
【請求項１０】
前記既定画像出力手段は、前記内部メモリに格納された既定画像のうちリムーバブルメモリに格納されていない既定画像のみを当該リムーバブルメモリに出力することを特徴とする請求項６〜９のいずれか一項に記載のディジタルカメラ。
【発明の詳細な説明】
【０００１】
【発明の属する技術分野】
本発明はディジタルカメラに関する。
【０００２】
【従来の技術】
ディジタルカメラには、例えば合成画像の素材としての被写体を記録するという用途がある。合成画像は、写真付挨拶状、枠付き写真シールなどを印刷するために広く用いられている。
従来、縁取りや背景を表すディジタル画像（既定画像）と被写体を表すディジタル画像（被写体画像）とを合成して得た合成画像を外部メモリに記録するディジタルカメラが知られている（例えば特許文献１参照）。
また、被写体画像とともに、被写体画像を証明写真等のアスペクト比に応じてクリッピング等して印刷するための枠の情報をメモリに記録するディジタルカメラが知られている（例えば特許文献２参照）。
【０００３】
【特許文献１】
特開２００１−４５３５２号公報
【特許文献２】
特開２０００−３５８２０６号公報（段落００７５）
【０００４】
【発明が解決しようとする課題】
しかし、特許文献１に開示されたディジタルカメラによると、外部メモリに記録する前に既定画像と被写体画像とを合成してしまうため、合成前の被写体画像が外部メモリに記録されない。このため、撮影前に選択した既定画像と合成する用途以外に被写体画像を転用することができない。
また、特許文献２に開示されたディジタルカメラによると、枠の情報をディジタルカメラに入力するインタフェースがないため、ユーザが利用できる枠の情報が限定されている。
【０００５】
本発明の第一の目的は、多様なレイアウトを選択でき、選択したレイアウトで描画可能かつ選択したレイアウトと別個に描画可能に被写体画像を記録できるディジタルカメラを提供することを目的とする。
本発明の第二の目的は、多様な既定画像を選択でき、選択した既定画像と合成して描画可能かつ選択した既定画像と別個に描画可能に被写体画像を記録できるディジタルカメラを提供することを目的とする。
【０００６】
【課題を解決するための手段】
上記第一の目的を達成するため、本発明に係るディジタルカメラは、被写体の光学像を結像させる光学系と、結像された被写体の光学像をディジタル画像に変換する変換手段と、前記変換手段が出力するディジタル画像の描画時のレイアウトを入力するレイアウト入力手段と、入力されたレイアウトが格納される内部メモリと、前記内部メモリに格納されたレイアウトの選択を受け付ける選択受付手段と、前記変換手段に出力させたディジタル画像を、前記選択受付手段によって選択されたレイアウトに関連付けてリムーバブルメモリに出力する被写体画像出力手段と、前記内部メモリに格納されたレイアウトを、前記被写体画像出力手段によってディジタル画像が格納されるリムーバブルメモリに出力するレイアウト出力手段と、を備えることを特徴とする。
【０００７】
リムーバブルメモリに格納されたレイアウトではなく内部メモリに格納されたレイアウトをユーザに選択させることにより、リムーバブルメモリを交換する前に選択していたレイアウトが交換後に選択できなくなるという不都合は生じない。また、リムーバブルメモリ、通信回線等からレイアウトを入力可能にすることにより、ユーザは多様なレイアウトを選択することができるようになる。また、選択されたレイアウトに関連付けて被写体のディジタル画像をリムーバブルメモリに出力することにより、選択したレイアウトで描画可能かつ選択したレイアウトと別個に描画可能に被写体画像を記録できるようになる。また、レイアウトを、被写体のディジタル画像とともにリムーバブルメモリに出力することにより、プリンタ等の描画装置において、被写体画像を、ディジタルカメラにおいて選択したレイアウトに従って確実に描画することができるようになる。
【０００８】
さらに本発明に係るディジタルカメラでは、前記レイアウト出力手段は、前記選択受付手段によって選択されたレイアウトを、リムーバブルメモリに出力されるディジタル画像を前記変換手段に出力させた後にリムーバブルメモリに出力することを特徴とする。かかるタイミングでレイアウトをリムーバブルメモリに出力することにより、選択されたレイアウトを無駄なく確実にリムーバブルメモリに出力することができる。
【０００９】
さらに本発明に係るディジタルカメラでは、前記レイアウト出力手段は、前記選択受付手段によって選択されたレイアウトを、リムーバブルメモリに出力するディジタル画像を前記変換手段に出力させる前にリムーバブルメモリに出力することを特徴とする。かかるタイミングでレイアウトをリムーバブルメモリに出力することにより、連続して被写体画像を記録するときの時間間隔を短くすることができる。
【００１０】
さらに本発明に係るディジタルカメラでは、前記レイアウト出力手段は、前記内部メモリに格納されたレイアウトを、リムーバブルメモリが交換される度にリムーバブルメモリに出力することを特徴とする。かかるタイミングでレイアウトをリムーバブルメモリに出力することにより、連続して被写体画像を記録するときの時間間隔を短くすることができる。
【００１１】
さらに本発明に係るディジタルカメラでは、前記レイアウト出力手段は、前記内部メモリに格納されたレイアウトのうちリムーバブルメモリに格納されていないレイアウトのみを当該リムーバブルメモリに出力することを特徴とする。リムーバブルメモリに格納されていないレイアウトのみを当該リムーバブルメモリに出力することにより、リムーバブルメモリの記憶領域の浪費を防止できる。
【００１２】
上記第二の目的を達成するため、本発明に係るディジタルカメラは、被写体の光学像を結像させる光学系と、結像された被写体の光学像をディジタル画像に変換する変換手段と、前記変換手段が出力するディジタル画像に合成される既定画像を入力する入力手段と、入力された既定画像が格納される内部メモリと、前記内部メモリに格納された既定画像の選択を受け付ける選択受付手段と、前記変換手段に出力させたディジタル画像を、前記選択受付手段によって選択された既定画像に関連付けてリムーバブルメモリに出力する被写体画像出力手段と、前記内部メモリに格納された既定画像を、前記被写体画像出力手段によってディジタル画像が格納されるリムーバブルメモリに出力する既定画像出力手段と、を備えることを特徴とする。
【００１３】
リムーバブルメモリに格納された既定画像ではなく内部メモリに格納された既定画像をユーザに選択させることにより、リムーバブルメモリを交換する前に選択していた既定画像が交換後に選択できなくなるという不都合は生じない。また、リムーバブルメモリ、通信回線等から既定画像を入力可能にすることにより、ユーザは多様な既定画像を選択することができるようになる。また、選択された既定画像に関連付けて被写体のディジタル画像をリムーバブルメモリに出力することにより、選択した既定画像と合成して描画可能かつ選択した既定画像と別個に描画可能に被写体画像を記録できるようになる。また、既定画像を、被写体のディジタル画像とともにリムーバブルメモリに出力することにより、プリンタ等の描画装置において、被写体画像を、ディジタルカメラにおいて選択した既定画像と確実に合成して描画することができるようになる。
【００１４】
さらに本発明に係るディジタルカメラでは、前記既定画像出力手段は、前記選択受付手段によって選択された既定画像を、リムーバブルメモリに出力されるディジタル画像を前記変換手段に出力させた後にリムーバブルメモリに出力することを特徴とする。かかるタイミングで既定画像をリムーバブルメモリに出力することにより、選択された既定画像を無駄なく確実にリムーバブルメモリに出力することができる。
【００１５】
さらに本発明に係るディジタルカメラでは、前記既定画像出力手段は、前記選択受付手段によって選択された既定画像を、リムーバブルメモリに出力されるディジタル画像を前記変換手段に出力させる前にリムーバブルメモリに出力することを特徴とする。かかるタイミングで既定画像をリムーバブルメモリに出力することにより、連続して被写体画像を記録するときの時間間隔を短くすることができる。
【００１６】
さらに本発明に係るディジタルカメラでは、前記既定画像出力手段は、前記内部メモリに格納された既定画像を、リムーバブルメモリが交換される度にリムーバブルメモリに出力することを特徴とする。かかるタイミングで既定画像をリムーバブルメモリに出力することにより、連続して被写体画像を記録するときの時間間隔を短くすることができる。
【００１７】
さらに本発明に係るディジタルカメラでは、前記既定画像出力手段は、前記内部メモリに格納された既定画像のうちリムーバブルメモリに格納されていない既定画像のみを当該リムーバブルメモリに出力することを特徴とする。リムーバブルメモリに格納されていない既定画像のみを当該リムーバブルメモリに出力することにより、リムーバブルメモリの記憶領域の浪費を防止できる。
【００１８】
尚、本発明に備わる複数の手段の各機能は、構成自体で機能が特定されるハードウェア資源、プログラムにより機能が特定されるハードウェア資源、又はそれらの組み合わせにより実現される。また、これら複数の手段の各機能は、各々が物理的に互いに独立したハードウェア資源で実現されるものに限定されない。また本発明は装置の発明としてだけでなく、プログラムの発明としても、そのプログラムを記録した記録媒体の発明としても、方法の発明としても特定することができる。
【００１９】
【発明の実施の形態】
以下、複数の実施例に基づいて本発明の実施の形態を説明する。
（第一実施例）
図２は、本発明の第一実施例のディジタルカメラ１０１の構成を示すブロック図である。図３（Ａ）、図３（Ｂ）は、それぞれディジタルカメラ１０１の外観を示す背面図、正面図である。
光学系１３０は、筐体１６４に収容されたレンズ１６８、絞り等で構成されている。光学系１３０はイメージセンサ１３２の受光面に被写体の光学像を結像させる。
【００２０】
変換手段としてのイメージセンサ１３２は、２次元空間に離散的に配置された光電変換素子とＣＣＤ（Ｃｈａｒｇｅ  Ｃｏｕｐｌｅｄ  Ｄｅｖｉｃｅ）等の電荷転送素子とを備えたエリアイメージセンサである。イメージセンサ１３２は、センサコントローラ１４０によって制御される。イメージセンサ１３２は、光電変換して得られる電荷を光電変換素子毎に一定時間蓄積し、光電変換素子毎の受光量に応じた電気信号を出力する。受光面にＣ（Ｃｙａｎ）、Ｍ（Ｍａｇｅｎｔａ）、Ｙ（Ｙｅｌｌｏｗ）及びＧ（Ｇｒｅｅｎ）の４色の補色フィルタ、又はＲ（Ｒｅｄ）、Ｇ（Ｇｒｅｅｎ）及びＢ（Ｂｌｕｅ）の原色フィルタを設けることによりカラー画像を形成することが可能になる。
変換手段としてのＡ／Ｄ変換部（ＡＤＣ）１３４は、イメージセンサ１３２から出力されるアナログ信号を量子化しディジタル信号に変換する。具体的には例えば、ＡＤＣ１３４は、アナログ信号に含まれる雑音の低減処理、ゲインの調整によるアナログ信号のレベル調整処理、量子化処理等を行う。
【００２１】
変換手段としての画像形成部１３６は、ＡＤＣ１３４から出力されたディジタル信号に対し、画像形成処理、ホワイトバランス補正、γ補正、色空間変換等を施し、各画素についてＲ、Ｇ、Ｂの階調値や、Ｙ、Ｃｂ、Ｃｒの階調値などを表す画像データを出力する。尚、ここでいう画像形成処理とは、一色分の濃度情報からなる画素を近傍画素の異なる色の濃度情報で補間することにより画素毎にＲＧＢ又はＹＣｂＣｒの３つの階調値を持つディジタル画像データを出力する処理である。
【００２２】
被写体画像出力手段としての圧縮・伸張部１３８は、ディジタル画像データを圧縮又は伸張する。具体的には、ディジタル画像データの系列変換及びエントロピー符号化を行うことによりディジタル画像データを圧縮し、それらの逆変換を施すことによりディジタル画像データを伸張する。具体的には例えば離散コサイン変換、ウェーブレット変換、ランレングス符号化、ハフマン符号化等を用いてディジタル画像データを圧縮する。圧縮・伸張部１３８で圧縮されたディジタル画像データはメモリコントローラ１５０によって不揮発性メモリとしてのリムーバブルメモリ１５６に格納される。
【００２３】
レイアウト入力手段及び選択受付手段としての操作部１４４は、ダイヤルスイッチ１６０、押しボタンスイッチ１１４、１１６、１２０、十字キー１１８、シャッタスイッチ１６２等を備える。ダイヤルスイッチ１６０は回転角度に応じて撮影モード、再生モード、ダイレクトプリントモード等のモードを設定するためのダイヤルスイッチである。押しボタンスイッチ１２０は、ＬＣＤ（Ｌｉｑｕｉｄ  Ｃｒｙｓｔａｌ  Ｄｉｓｐｌａｙ）１５４にメニューを呼び出すためのスイッチである。押しボタンスイッチ１１４、１１６、十字キー１１８は、ＬＣＤ１５４に表示されるメニューを操作するためのスイッチである。シャッタスイッチ１６２は、静止画像記録指示を入力するためのスイッチである。撮影モードでは、シャッタスイッチ１６２を押すことにより静止画記録指示を入力することができる。
【００２４】
ＬＣＤ１５４は、撮影モードで電子ビューファインダとして機能する。ディスプレイコントローラ１５２は、ＬＣＤ１５４の一画面分のディジタル画像データを格納するためのフレームバッファと、フレームバッファに格納されたディジタル画像データに基づいてＬＣＤ１５４を駆動するための表示回路とを備える。撮影モードでは、被写体を表すディジタル動画像、被写体を表すディジタル画像に合成される画像の全体又は一部を表すディジタル静止画像、これら２つの画像を合成するためのαチャンネル情報、メニューを構成するオブジェクト等がワークメモリ１４８に格納される。表示回路はワークメモリ１４８からこれらの画像等を表示可能に合成してフレームバッファに転送し、フレームバッファに格納されたこれらのオブジェクトをＬＣＤ１５４に表示する。
【００２５】
ＣＰＵ１４２は、内部メモリとしてのフラッシュメモリ１４６に記憶されているコンピュータプログラムを実行することにより、ディジタルカメラ１０１の全体を制御する。ワークメモリ１４８は、プログラムやデータを一時的に記憶するためのメモリである。フラッシュメモリ１４６に格納されるプログラムや各種のデータは、所定のサーバからネットワークを介してダウンロードしてフラッシュメモリ１４６に格納してもよいし、リムーバブルメモリ等のコンピュータ読み取り可能な記憶媒体から入力してフラッシュメモリ１４６に格納してもよい。
【００２６】
図４は、フラッシュメモリ１４６及びリムーバブルメモリ１５６に格納されるファイルのディレクトリを示す模式図である。「￥ｉｎｔｅｒｎａｌ」はフラッシュメモリ１４６のルートディレクトリに対応し、「￥ｒｅｍｏｖａｂｌｅ」はリムーバブルメモリ１５６のルートディレクトリに対応する。
【００２７】
拡張子が「．ｊｐｇ」のファイルは被写体を表すディジタル画像（被写体画像）であって、リムーバブルメモリ１５６に格納される。被写体画像をリムーバブルメモリ１５６に格納することにより、リムーバブルメモリ１５６を媒体としてプリンタ等の描画装置に被写体画像を容易に転送することができる。尚、図４はレイアウト定義ファイルに関連付けられた被写体画像が１つも記録されていない状態を示している。
【００２８】
拡張子が「．ｕｓｄ」のファイルは被写体画像の描画時のレイアウトと描画時に被写体画像に合成される既定画像とを定義する情報（レイアウト定義ファイル）であって、用紙サイズ毎に保存されている。レイアウト定義ファイルについては後に詳述する。拡張子が「．ｕｓｍ」のファイルはインデックスファイルである。インデックスファイルには、用紙サイズが互いに異なり互いに相似の関係にある複数のレイアウト定義ファイルのインデックス情報が記述されている。具体的には例えば、インデックスファイルには、互いに相似の関係にあるレイアウト定義ファイルの数や、互いに相似の関係にあるレイアウト定義ファイルのファイル名等が記述されている。拡張子が「．ｅｆｆ」のファイルはレイアウト定義ファイルに基づいて被写体画像と合成されるディジタル画像（既定画像）である。拡張子が「．ｕｓｆ」のファイルは描画装置用サムネイルである。描画装置用サムネイルは、レイアウト定義ファイルで定義しているレイアウトをプリンタやパーソナルコンピュータなどの描画装置のモニタに表示するためのサムネイル画像ファイルである。拡張子が「．ｃｔｆ」のファイルはカメラ用サムネイルである。カメラ用サムネイルは、レイアウト定義ファイルで定義しているレイアウト及び既定画像をディジタルカメラ１０１のＬＣＤ１５４に画像として表示するためのサムネイル画像ファイルである。既定画像、描画装置用サムネイル及びカメラ用サムネイルは、描画装置用サムネイル及びカメラ用サムネイルによって表示されるレイアウトを定義したレイアウト定義ファイルのファイル名が記述されたインデックスファイルのファイル名と同名のフォルダに格納されている。すなわち、カメラ用サムネイルとインデックスファイルとはカメラ用サムネイルが格納されているフォルダの名前によって互いに関連付けられている。
【００２９】
図５はレイアウト定義ファイル１７０の内容を示す模式図である。図６（Ａ）は、レイアウト定義ファイル１７０を用いて描画される画像を説明するための模式図である。図６（Ｂ）はレイアウト定義ファイル１７０を用いて印刷したはがき１７４を示す平面図である。レイアウト定義ファイル１７０には、被写体画像のレイアウトがスクリプトによって定義されている。スクリプトは、被写体画像を印刷用紙に配置するための位置情報、被写体画像を回転して印刷用紙に配置するための情報、被写体画像を拡大又は縮小するための情報等をプリンタ等で一義的に解釈可能に定義する。具体的には例えば、印刷サイズ（例えば「はがき」）、印刷用紙の向きを規定する情報（例えば「縦長」）、被写体画像を配置する枠（被写体画像枠）を規定する情報（例えば枠の左上座標「（ｘ１，ｙ１）」と枠の右下座標「（ｘ２，ｙ２）」）、その枠に被写体画像を配置するときの回転を規定する情報（例えば「反時計回りに９０度回転」）等がレイアウト定義ファイル１７０にスクリプトによって記述されている。
【００３０】
レイアウト定義ファイル１７０には、被写体画像に合成する画像（既定画像）を特定するための情報（例えば既定画像のファイル名としての「ｂｉｒｔｈｄａｙ．ｅｆｆ」）、既定画像を配置する枠を規定する情報（例えば枠の左上座標「（ｘ３，ｙ３）」と枠の右下座標「（ｘ４，ｙ４）」）、αチャンネル情報を規定する情報（例えばαチャンネル情報のタグ）等をスクリプトによって記述してもよい。また、レイアウト定義ファイル１７０にはαチャンネル情報１７２を格納してもよい。αチャンネル情報とは、２つの画像を重畳合成するときにどちらの画像の画素を合成画像に反映させるかを画素毎に定義した情報である。既定画像を特定するための情報がスクリプトによって記述されているレイアウト定義ファイル１７０が選択されることは、当該既定画像が選択されることに等しい。
【００３１】
ここでレイアウト定義ファイル、インデックスファイル、既定画像、描画装置用サムネイル及びカメラ用サムネイルをリムーバブルメモリ１５６から入力する処理について説明する。以下、これら５種類のファイルをまとめてレイアウトファイルセットというものとする。ユーザが所定のメニューにおいて所定の項目を選択することにより、フラッシュメモリ１４６に格納された所定のプログラムがＣＰＵ１４２によって実行されると、レイアウトファイルセットをリムーバブルメモリ１５６から入力する処理が開始される。すなわち、ＣＰＵ１４２はフラッシュメモリ１４６に格納された所定のプログラムを実行することにより入力手段として機能する。
【００３２】
図７は、レイアウトファイルセットをリムーバブルメモリ１５６から入力するためのＨＭＩ（Ｈｕｍａｎ  Ｍａｃｈｉｎｅ  Ｉｎｔｅｒｆａｃｅ）を説明するための模式図であって、ＬＣＤ１５４の画面の遷移を示している。はじめにフラッシュメモリ１４６に格納されたレイアウトファイルセットのメニューが例えば画面１１のようにＬＣＤ１５４に表示される。このメニューは、フラッシュメモリ１４６に格納された全てのレイアウトファイルセットの識別子（具体的には例えばインデックスファイルのファイル名）を十字キー１１８の操作によって選択可能な項目として表示する。
【００３３】
画面１１が表示された状態で十字キー１１８の右端が押されると、リムーバブルメモリ１５６に格納されたレイアウトファイルセットのメニューが例えば画面１２のようにＬＣＤ１５４に表示される。このメニューは、リムーバブルメモリ１５６に格納された全てのレイアウトファイルセットの識別子（具体的には例えばインデックスファイルのファイル名）を十字キー１１８の操作によって選択可能な項目として表示する。
【００３４】
画面１２、１３が表示された状態で十字キー１１８の下端又は上端が押されると、現在選択中の項目の次の項目を選択する。尚、現在選択中の項目はカーソル１１５によってユーザに示す。また、現在選択中のファイルセットの内容をカメラ用サムネイルによって表示することが望ましい。
【００３５】
画面１２、１３が表示された状態で押しボタンスイッチ１１６が押されると、現在選択中のレイアウトファイルセットをフラッシュメモリ１４６にコピーする。コピーが終了すると、そのことをユーザに報知するため、フラッシュメモリ１４６に格納されたレイアウトファイルセットのメニューを例えば画面１４のように表示する。
【００３６】
図１は、本発明の第一実施例のディジタルカメラの撮影モードにおいて被写体画像をレイアウト及び既定画像に関連付けてリムーバブルメモリに出力する処理の流れを示すフローチャートである。図８はこの処理のためのＨＭＩを説明するための模式図であってＬＣＤ１５４の画面の遷移を示している。図１に示す処理は、撮影モードで押しボタンスイッチ１２０及び押しボタンスイッチ１１６が続けて押されると開始され、ＣＰＵ１４２がフラッシュメモリ１４６に格納された所定のプログラムを実行することにより進行する。すなわち、ＣＰＵ１４２はフラッシュメモリ１４６に格納された所定のプログラムを実行することにより選択受付手段、被写体画像出力手段、既定画像出力手段及びレイアウト出力手段として機能する。
【００３７】
ステップＳ４００では、内部メモリとしてのフラッシュメモリ１４６に格納されたレイアウトファイルセットのメニューによってレイアウト及び既定画像の選択を受け付ける。具体的には例えば次のようにしてレイアウト及び既定画像の選択を受け付ける。撮影モードで押しボタンスイッチ１２０及び押しボタンスイッチ１１６が続けて押されると、画面１５のように現在選択中のレイアウトファイルセットの識別子１２３と、カメラ用サムネイルに基づいてレイアウト定義ファイルの内容を示す画像１２１とをＬＣＤ１５４に表示する。画面１５が表示された状態で十字キー１１８の上端又は下端が押されると、次のレイアウトファイルセットの識別子１２５とレイアウト定義ファイルの内容を表す画像１２７とを例えば画面１６のようにＬＣＤ１５４に表示する。画面１５又は画面１６のように現在選択中のレイアウトファイルセットの識別子１２３、１２５と、レイアウト定義ファイルの内容を示す画像１２１、１２７とが表示されている状態で押しボタンスイッチ１１６が押されると、撮影モードに戻り、レイアウト定義ファイルの内容の一部を表す画像１２４と被写体動画像１２６とメニュー１２７とを画面１７のように合成表示する。被写体動画像１２６は、画像形成部１３６から所定の時間間隔で出力される被写体画像から構成される。
【００３８】
ステップＳ４１０の処理は、レイアウトファイルセットが選択されている撮影モードにおいてシャッタスイッチ１６２が押されると開始される。ステップＳ４１０では、画像形成部１３６から出力され圧縮・伸張部１３８で圧縮された被写体画像がメモリコントローラ１５０によってリムーバブルメモリ１５６に格納される。
【００３９】
ステップＳ４２０では、現在選択されているレイアウトファイルセットのインデックスファイルのファイル名を記述した関連付けファイルが被写体画像と同一のフォルダに格納される。この結果、現在選択されているレイアウトファイルセットに関連付けて被写体画像がリムーバブルメモリ１５６に格納される。関連付けファイルにはインデックスファイルのファイル名が記述され、インデックスファイルに記述されたレイアウト定義ファイルに関連付けようとする被写体画像のファイル名と同一のファイル名を付ける。すなわち、被写体画像と関連付けファイルとはそれらのファイル名によって互いに関連付けられる。関連付けファイルとインデックスファイルとは、関連付けファイルに記述されたファイル名によって関連付けられる。インデックスファイルとレイアウト定義ファイルとは、レイアウト定義ファイルに記述されたインデックスファイルのファイル名によって関連付けられる。これら複数のファイルによる関連づけによって、用紙サイズが異なり互いに相似の関係にある複数のレイアウト定義ファイルが１つの被写体画像に関連付けられる。
【００４０】
ステップＳ４３０では、現在選択されているファイルセットがリムーバブルメモリ１５６に格納されているか否かを判別する。現在選択されているファイルセットが既にリムーバブルメモリ１５６に格納されていれば、被写体画像をレイアウトファイルセットに関連付けて記録する処理は終了する。現在選択されているファイルセットがリムーバブルメモリに格納されていない場合、ステップＳ４４０に進み、現在選択されているファイルセットをリムーバブルメモリ１５６に格納する。
【００４１】
図９は、フラッシュメモリ１４６及びリムーバブルメモリ１５６に格納されたファイルのディレクトリを示す模式図である。図９は、図４に示したファイルがフラッシュメモリ１４６及びリムーバブルメモリ１５６に格納された状態において、フラッシュメモリ１４６に格納されたファイルセットを選択した後にシャッタスイッチ１６２を押した直後のファイルを示している。拡張子が「．ｕｓｔ」のファイルは、上述した関連付けファイルである。例えば「０００２．ｕｓｔ」の関連付けファイルには、「ｄａｅｎ＿０．ｕｓｍ」というファイル名が記述されている。
【００４２】
本発明の第一実施例によると、内部メモリとしてのフラッシュメモリ１４６に格納されたレイアウトファイルセットをユーザに選択させるため、リムーバブルメモリ１５６を交換する前に選択していたレイアウトファイルセットが交換後に選択できなくなるという不都合は生じない。また、リムーバブルメモリ１５６に格納されたレイアウトファイルセットを入力可能であるため、ユーザは多様なレイアウトファイルセットを選択することができる。また、選択されたレイアウトファイルセットに関連付けて被写体画像をリムーバブルメモリ１５６に出力するため、選択したレイアウトファイルセットで描画可能に被写体画像を記録できる。また、リムーバブルメモリ１５６に被写体のディジタル画像とレイアウトとを互いに関連付けて出力するため、プリンタ等の描画装置において、被写体画像を、選択したレイアウトファイルセットに従って確実に描画することができる。
【００４３】
さらに本発明の第一実施例によると、選択されたレイアウトファイルセットを、当該レイアウトファイルセットに関連付ける被写体画像をリムーバブルメモリ１５６に出力した後に、リムーバブルメモリに出力するため、選択されたレイアウトファイルセットを無駄なく確実にリムーバブルメモリに出力することができる。
さらに本発明の第一実施例によると、リムーバブルメモリ１５６に格納されているレイアウトファイルセットを重複してリムーバブルメモリ１５６に出力しないため、リムーバブルメモリ１５６の記憶領域の浪費を防止できる。
【００４４】
（第二実施例）
図１０は、本発明の第二実施例のディジタルカメラの撮影モードにおいて被写体画像をレイアウト及び既定画像に関連付けてリムーバブルメモリに出力する処理の流れを示すフローチャートである。既述の処理を実施するステップには既述の符号を付している。本発明の第二実施例では、レイアウトファイルセットをリムーバブルメモリ１５６に出力するタイミングは、ユーザによってレイアウトファイルセットが選択された直後、すなわち被写体画像を出力する直前である。本発明の第二実施例は、その他の点において第一実施例と実質的に同一である。
【００４５】
本発明の第二実施例によると、シャッタスイッチ１６２が押される前にレイアウトファイルセットをリムーバブルメモリ１５６に出力することができるため、シャッタスイッチ１６２が押された後に必要な処理を低減することができる。したがって、第一実施例と比較すると、被写体画像を連続記録する間隔を短縮することができる。
【００４６】
（第三実施例）
図１１は、本発明の第三実施例のディジタルカメラにレイアウトファイルセットを入力する処理の流れを示すフローチャートである。図１２は、本発明の第三実施例のディジタルカメラの撮影モードにおいて被写体画像をレイアウト及び既定画像に関連付けてリムーバブルメモリに出力する処理の流れを示すフローチャートである。既述の処理を実施するステップには既述の符号を付している。本発明の第三実施例では、レイアウトファイルセットをリムーバブルメモリ１５６に出力するタイミングは、ユーザによってリムーバブルメモリ１５６が交換された直後である。本発明の第三実施例は、その他の点において第一実施例と実質的に同一である。
【００４７】
ステップＳ５００では、リムーバブルメモリ１５６が交換されたか否かを所定時間間隔で判別する。リムーバブルメモリ１５６が交換されるとステップＳ５１０に進み、フラッシュメモリ１４６に格納された全てのレイアウトファイルセットのうち、リムーバブルメモリに格納されていないものをリムーバブルメモリ１５６に出力する。
【００４８】
本発明の第三実施例によると、シャッタスイッチ１６２が押される前にレイアウトファイルセットをリムーバブルメモリ１５６に出力することができるため、シャッタスイッチ１６２が押された後に必要な処理を低減することができる。したがって、第一実施例と比較すると、被写体画像を連続記録する間隔を短縮することができる。
【図面の簡単な説明】
【図１】本発明の第一実施例に係るフローチャートである。
【図２】本発明の第一実施例に係るブロック図である。
【図３】（Ａ）は本発明の第一実施例に係る正面図、（Ｂ）は本発明の第一実施例に係る背面図である。
【図４】本発明の第一実施例に係る模式図である。
【図５】本発明の第一実施例に係る模式図である。
【図６】（Ａ）、（Ｂ）ともに本発明の第一実施例に係る模式図である。
【図７】本発明の第一実施例に係る模式図である。
【図８】本発明の第一実施例に係る模式図である。
【図９】本発明の第一実施例に係る模式図である。
【図１０】本発明の第二実施例に係るフローチャートである。
【図１１】本発明の第三実施例に係るフローチャートである。
【図１２】本発明の第三実施例に係るフローチャートである。
【符号の説明】
１０１  ディジタルカメラ、１３０  光学系、１３２  イメージセンサ（変換手段）、１３４  ＡＤＣ（変換手段）、１３６  画像形成部（変換手段）、１３８  圧縮・伸張部（被写体画像出力手段）、１４２  ＣＰＵ（レイアウト入力手段、選択受付手段、被写体画像出力手段、レイアウト出力手段）、１４４  操作部（レイアウト入力手段、選択受付手段）、１４６  フラッシュメモリ（内部メモリ）、１５６  リムーバブルメモリ
【図１】
2004229202.tif 000003
【図２】
2004229202.tif 000004
【図３】
2004229202.tif 000005
【図４】
2004229202.tif 000006
【図５】
2004229202.tif 000007
【図６】
2004229202.tif 000008
【図７】
2004229202.tif 000009
【図８】
2004229202.tif 000010
【図９】
2004229202.tif 000011
【図１０】
2004229202.tif 000012
【図１１】
2004229202.tif 000013
【図１２】
2004229202.tif 000014